(57)【特許請求の範囲】
【請求項１】
移動する移動体と、
扁平な金属顔料を含む扁平トナーで形成される像を前記移動体に転写する１次転写部と、
前記移動体とニップ部を形成し、前記ニップ部に搬送される媒体に前記移動体から前記像を転写する２次転写部と、
前記像の画像幅が予め定められた幅よりも大きいとされる条件が成立する場合に前記１次転写部に流す電流を、前記条件が成立しない場合に前記１次転写部に流す電流よりも小さくする制御部と、
を備えた転写装置。
【請求項２】
移動する移動体と、
扁平な金属顔料を含む扁平トナーで形成される像を前記移動体に転写する１次転写部と、
前記移動体とニップ部を形成し、前記ニップ部に搬送される媒体に前記移動体から前記像を転写する２次転写部と、
前記像の画像密度が予め定められた密度よりも高いとされる条件が成立する場合に前記１次転写部に流す電流を、前記条件が成立しない場合に前記１次転写部に流す電流よりも小さくする制御部と、
を備えた転写装置。
【請求項３】
移動する移動体と、
扁平な金属顔料を含む扁平トナーで形成される像を前記移動体に転写する１次転写部と、
前記移動体とニップ部を形成し、前記ニップ部に搬送される媒体に前記移動体から前記像を転写する２次転写部と、
前記像の画像幅が予め定められた幅よりも大きいこと、かつ、前記像の画像密度が予め定められた密度よりも高いことが満たされる条件が成立する場合に前記１次転写部に流す電流を、前記条件が成立しない場合に前記１次転写部に流す電流よりも小さくする制御部と、
を備えた転写装置。
【請求項４】
前記予め定められた幅は、前記媒体の幅ごとに予め定められた比率を乗じた幅とされている、
請求項１又は３記載の転写装置。
【請求項５】
非扁平トナーで形成される像を前記移動体に転写する他の１次転写部を備え、
前記１次転写部は、前記他の１次転写部に対し前記移動体の移動方向上流側に配置されており、
前記制御部は、前記条件が成立する場合、前記１次転写部及び前記他の１次転写部が転写した像を媒体に転写するときに前記１次転写部に流す電流を、前記１次転写部が転写した像のみを媒体に転写するときに前記１次転写部に流す電流よりも小さくする、
請求項１〜４の何れか１項に記載の転写装置。
【請求項６】
前記制御部は、前記条件が成立する場合、前記１次転写部及び前記他の１次転写部が転写した像を媒体に転写するときに前記２次転写部に流す電流を、前記１次転写部が転写した像のみを媒体に転写するときに前記２次転写部に流す電流よりも小さくする、
請求項５記載の転写装置。
【請求項７】
請求項１〜６の何れか１項記載の転写装置と、
前記移動体に転写される前記像を形成する形成部と、
を備えた画像形成装置。
【発明の詳細な説明】
【技術分野】
【０００１】
本発明は、転写装置及び画像形成装置に関する。
【背景技術】
【０００２】
特許文献１には、感光体上に現像した金色トナー像と別の感光体上に現像した金色トナー像以外である他の色のトナー像とを中間転写体に積層した後、全色のトナー像を像担持体へ転写し、定着して画像形成する画像記録装置が記載されている。
【先行技術文献】
【特許文献】
【０００３】
【特許文献１】特開２００６−３１７６３２号公報
【発明の概要】
【発明が解決しようとする課題】
【０００４】
トナー像を保持して移動するベルトを導電性ロールと対向ロールとで挟んでニップを形成し、導電性ロール又は対向ロールに電圧を印加し、ニップで媒体にトナー像を転写する画像形成装置が知られている。この画像形成装置は、導電性ロールに付着したトナーを除去する機構に回転体（例えば、導電性ロールに接触する回転ブラシ等）を含んで構成されている。そのため、この画像形成装置では、回転体の振動に伴い、導電性ロールに上記振動が伝わる場合がある。そして、この画像形成装置で扁平な金属顔料を含む扁平トナーを用いたトナー像をベルトに保持させて媒体に転写すると、この画像形成装置は、トナー像を媒体に転写する際、上記振動により、媒体の厚み方向に対して扁平トナーの傾斜する角度（傾斜角度）を周期的に変化させる場合がある。その結果、転写されたトナー像を構成する扁平トナーを媒体に定着すると、扁平な金属顔料の姿勢の周期的なばらつきが生じる。
【０００５】
本発明は、予め定められた条件が成立する場合に１次転写部に流す電流を、前記条件が成立しない場合に１次転写部に流す電流と同等以上にする転写装置に比べて、扁平トナーの像を媒体への転写の際に扁平トナーの傾斜角度を媒体の厚み方向に対して周期的に変化させ難い転写装置の提供を目的とする。
【課題を解決するための手段】
【０００６】
請求項１の転写装置は、移動する移動体と、扁平な金属顔料を含む扁平トナーで形成される像を前記移動体に転写する１次転写部と、前記移動体とニップ部を形成し、前記ニップ部に搬送される媒体に前記移動体から前記像を転写する２次転写部と、前記像の画像幅が予め定められた幅よりも大きいとされる条件が成立する場合に前記１次転写部に流す電流を、前記条件が成立しない場合に前記１次転写部に流す電流よりも小さくする制御部と、を備えている。
【０００７】
請求項２の転写装置は、移動する移動体と、扁平な金属顔料を含む扁平トナーで形成される像を前記移動体に転写する１次転写部と、前記移動体とニップ部を形成し、前記ニップ部に搬送される媒体に前記移動体から前記像を転写する２次転写部と、前記像の画像密度が予め定められた密度よりも高いとされる条件が成立する場合に前記１次転写部に流す電流を、前記条件が成立しない場合に前記１次転写部に流す電流よりも小さくする制御部と、を備えている。
【０００８】
請求項３の転写装置は、移動する移動体と、扁平な金属顔料を含む扁平トナーで形成される像を前記移動体に転写する１次転写部と、前記移動体とニップ部を形成し、前記ニップ部に搬送される媒体に前記移動体から前記像を転写する２次転写部と、前記像の画像幅が予め定められた幅よりも大きいこと、かつ、前記像の画像密度が予め定められた密度よりも高いことが満たされる条件が成立する場合に前記１次転写部に流す電流を、前記条件が成立しない場合に前記１次転写部に流す電流よりも小さくする制御部と、を備えている。
【０００９】
請求項４の転写装置は、請求項１又は３記載の転写装置であって、前記予め定められた幅は、前記媒体の幅ごとに予め定められた比率を乗じた幅とされている。
【００１０】
請求項５の転写装置は、請求項１〜４の何れか１項に記載の転写装置であって、非扁平トナーで形成される像を前記移動体に転写する他の１次転写部を備え、前記１次転写部は、前記他の１次転写部に対し前記移動体の移動方向上流側に配置されており、前記制御部は、前記条件が成立する場合、前記１次転写部及び前記他の１次転写部が転写した像を媒体に転写するときに前記１次転写部に流す電流を、前記１次転写部が転写した像のみを媒体に転写するときに前記１次転写部に流す電流よりも小さくする。
【００１１】
請求項６の転写装置は、請求項５記載の転写装置であって、前記制御部は、前記条件が成立する場合、前記１次転写部及び前記他の１次転写部が転写した像を媒体に転写するときに前記２次転写部に流す電流を、前記１次転写部が転写した像のみを媒体に転写するときに前記２次転写部に流す電流よりも小さくする。
【００１３】
請求項７の画像形成装置は、請求項１〜６の何れか１項記載の転写装置と、前記移動体に転写される前記像を形成する形成部と、を備えている。
【発明の効果】
【００１４】
請求項１の転写装置は、予め定められた条件が成立する場合に１次転写部に流す電流を、前記条件が成立しない場合に１次転写部に流す電流と同等以上にする転写装置に比べて、扁平トナーの像を媒体への転写の際に扁平トナーの傾斜角度を媒体の厚み方向に対して周期的に変化させ難い。ここで、予め定められた条件は、像の画像幅が予め定められた幅よりも大きいとされる条件をいう。
【００１５】
請求項２の転写装置は、予め定められた条件が成立する場合に１次転写部に流す電流を、前記条件が成立しない場合に１次転写部に流す電流と同等以上にする転写装置に比べて、扁平トナーの像を媒体への転写の際に扁平トナーの傾斜角度を媒体の厚み方向に対して周期的に変化させ難い。ここで、予め定められた条件は、像の画像密度が予め定められた基準密度よりも高いとされる条件をいう。
【００１６】
請求項３の転写装置は、予め定められた条件が成立する場合に１次転写部に流す電流を、前記条件が成立しない場合に１次転写部に流す電流と同等以上にする転写装置に比べて、扁平トナーの像を媒体への転写の際に扁平トナーの傾斜角度を媒体の厚み方向に対して周期的に変化させ難い。ここで、予め定められた条件は、像を形成するためのデータに含まれる画像幅が予め定められた幅よりも大きいこと、かつ、前記データに含まれる画像密度が予め定められた基準密度よりも高いことが満たされる条件をいう。
【００１７】
請求項４の転写装置は、用いる媒体の幅に応じてニップ部の圧を変更することができる。
【００１８】
請求項５の転写装置は、非扁平トナーで形成される像を移動体に転写する他の１次転写部を備え、１次転写部は他の１次転写部に対し移動体の移動方向上流側に配置されており、定められた条件が成立する場合、１次転写部及び他の１次転写部が転写した像を媒体に転写するときに１次転写部に流す電流を、１次転写部が転写した像のみを媒体に転写するときに１次転写部に流す電流以上にする転写装置に比べて、扁平トナーの像を媒体への転写の際に扁平トナーの傾斜角度を媒体の厚み方向に対して周期的に変化させ難い。
【００１９】
請求項６の転写装置は、非扁平トナーで形成される像を移動体に転写する他の１次転写部を備え、１次転写部は他の１次転写部に対し移動体の移動方向上流側に配置されており、定められた条件が成立する場合、１次転写部及び他の１次転写部が転写した像を媒体に転写するときに２次転写部に流す電流を、１次転写部が転写した像のみを媒体に転写するときに２次転写部に流す電流以上にする転写装置に比べて、扁平トナーの像を媒体への転写の際に扁平トナーの傾斜角度を媒体の厚み方向に対して周期的に変化させ難い。
【００２１】
請求項７の画像形成装置は、扁平トナーで形成される像を移動体に転写する場合に１次転写部に流す電流を、非扁平トナーで形成される像のみを移動体に転写する場合に他の１次転写部に流す電流以上にする転写装置を備えた画像形成装置に比べて、金属顔料の姿勢の周期的なばらつきが小さい画像を形成することができる。
【図面の簡単な説明】
【００２２】
【図１】第１実施形態の画像形成装置の概略図(正面図)である。
【図２】第１実施形態の画像形成装置の１次転写ニップの周辺（単色ユニット及び転写装置の一部）の概略図(正面図)である。
【図３】第１実施形態の画像形成装置を２次転写ニップの周辺（２次転写ユニットの一部を含む転写装置の一部）の概略図である。
【図４】第１実施形態の画像形成装置が画像形成に用いる扁平トナーのトナー粒子の概略図（断面図）である。
【図５】第１実施形態の画像形成装置が画像形成に用いる非扁平トナーのトナー粒子の概略図（断面図）である。
【図６】第１実施形態の転写装置を構成する転写ベルトに保持されている扁平トナーの状態を示す図であって、（Ａ）は図１の破線６Ａ内のトナー像を構成する扁平トナー、（Ｂ）は点線６Ｂ内のトナー像を構成する扁平トナーを示す模式図である。
【図７】第１実施形態の画像形成装置を構成する制御部が行う制御のフローチャートである。
【図８】第１実施形態において、図７のフローチャートの各モードにおける電流の量の関係を示すグラフである。
【図９】図７の定められた条件を示すグラフである。
【図１０】図７の定められた条件の根拠となる試験結果を示すグラフである。
【図１１】（Ａ）は第１比較形態の画像形成装置により形成された媒体上の画像を示す模式図であり、（Ｂ）は（Ａ）のＢ−Ｂ断面線で切った部分断面図であり、（Ｃ）は（Ａ）のＣ−Ｃ断面線で切った部分断面図である。
【図１２】第２比較形態の画像形成装置を構成する制御部が行う制御のフローチャートである。
【図１３】第４比較形態において、各モードにおける電流の量の関係を示すグラフである。
【図１４】第５比較形態において、各モードにおける電流の量の関係を示すグラフである。
【図１５】第２実施形態の画像形成装置の概略図(正面図)である。
【図１６】第２実施形態において、各モードにおける電流の量の関係を示すグラフである。
【発明を実施するための形態】
【００２３】
≪概要≫
以下、発明を実施するための形態（以下、実施形態という。）について説明する。なお、実施形態の説明では、以下の第１及び第２実施形態に分けて行う。また、以下の説明では、図面に矢印Ｘ及び矢印−Ｘで示す方向を装置幅方向、図面に矢印Ｙ及び矢印−Ｙで示す方向を装置高さ方向とする。また、装置幅方向及び装置高さ方向のそれぞれに直交する方向（矢印Ｚ及び矢印−Ｚ方向）を装置奥行き方向とする。
【００２４】
≪第１実施形態≫
以下、第１実施形態について図面を参照しつつ説明する。まず、本実施形態の画像形成装置１０（図１参照）の構成及び画像形成装置１０に用いるトナー（図４及び図５参照））について説明する。次いで、本実施形態の画像形成装置１０の画像形成動作について説明する。次いで、本実施形態の作用について説明する。
【００２５】
＜画像形成装置の構成＞
画像形成装置１０は、図１に示されるように、トナー像形成部２０と、転写装置３０と、搬送装置４０と、定着装置５０と、制御部６０と、を含んで構成される電子写真方式の装置とされている。
【００２６】
［トナー像形成部］
トナー像形成部２０は、帯電、露光、現像の各工程を行って、後述するトナー像Ｇ（図１参照）を形成する機能を有する。
【００２７】
トナー像形成部２０は、図１に示されるように、それぞれ異なる色（Ｇ（金）、Ｙ（イエロー）、Ｍ（マゼンタ）、Ｃ（シアン）、Ｋ（ブラック））のトナー像Ｇを形成する単色ユニット２１Ｇ、２１Ｙ、２１Ｍ、２１Ｃ、２１Ｋで構成されている。また、単色ユニット２１Ｇ、２１Ｙ、２１Ｍ、２１Ｃ、２１Ｋは、後述するニップＮ２を基準とすると、後述する転写ベルトＴＢの移動方向（矢印Ｒ方向）上流側から下流側にこれらの記載順で並べられている。単色ユニット２１Ｇ、２１Ｙ、２１Ｍ、２１Ｃ、２１Ｋは、それぞれが形成するトナー像Ｇの色以外は同様の構成とされている。以下、本明細書及び図面において、単色ユニット２１Ｇ、２１Ｙ、２１Ｍ、２１Ｃ、２１Ｋ及びその構成要素を区別する必要がない場合、アルファベット（Ｇ、Ｙ、Ｍ、Ｃ、Ｋ）を省略して説明する。なお、以下の説明では、単色ユニット２１Ｇが形成するトナー像Ｇをトナー像Ｇ１とし、単色ユニット２１Ｇ以外の単色ユニット２１が形成するトナー像Ｇをトナー像Ｇ２とする。ただし、特にトナー像Ｇ１とトナー像Ｇ２とを区別する必要のない場合、トナー像Ｇ１及びトナー像Ｇ２をトナー像Ｇと記載する。ここで、トナー像Ｇ１及びトナー像Ｇ２は、像の一例である。
【００２８】
単色ユニット２１Ｇは、扁平トナーＭＴ（以下、トナーＭＴという。図４参照）でトナー像Ｇ１を形成するようになっている。また、単色ユニット２１Ｇ以外の単色ユニット２１は、非扁平トナーＮＴ（以下、トナーＮＴという。図５参照）でトナー像Ｇ２を形成するようになっている。ここで、単色ユニット２１は、形成部の一例の一例である。なお、本実施形態のトナーＭＴ及びトナーＮＴは、一例として負極性（帯電量分布の平均が負）とされている。以下の説明において、特にトナーＭＴとトナーＮＴとを区別する必要のない場合、トナーＭＴ、ＮＴをトナーＴと記載する。
【００２９】
各単色ユニット２１は、図１及び図２に示されるように、円筒の感光体２２と、帯電装置２４と、露光装置２６と、現像装置２８と、を含んで構成されている。帯電装置２４は感光体２２を帯電し、露光装置２６は感光体２２を露光し（感光体２２に潜像を形成し）、現像装置２８はトナー像Ｇを現像し（潜像をトナー像Ｇに現像し）、トナー像Ｇを形成するようになっている。なお、露光装置２６は、一例として、感光体２２に１２００ｄｐｉ×１２００ｄｐｉ（約２１μｍ×約２１μｍ）相当の露光ドットで構成される潜像を形成するようになっている。また、図１では、単色ユニット２１Ｋ以外の単色ユニット２１の構成要素の符号が省略されている。
【００３０】
［転写装置］
転写装置３０は、各単色ユニット２１が形成したトナー像Ｇを移動する転写ベルトＴＢに後述するニップＮ１で１次転写する機能と、１次転写したトナー像Ｇを後述するニップＮ２に搬送される媒体Ｐに移動する転写ベルトＴＢからニップＮ２で２次転写する機能と、を有する。転写装置３０は、図１に示されるように、転写ベルトＴＢと、駆動ロール３２と、１次転写ロール３４Ｇ、３４Ｙ、３４Ｍ、３４Ｃ、３４Ｋと、２次転写ユニット３６と、電源ＰＳと、を含んで構成されている。以下、本明細書及び図面において、１次転写ロール３４Ｇ、３４Ｙ、３４Ｍ、３４Ｃ、３４Ｋを区別する必要がない場合、アルファベット（Ｇ、Ｙ、Ｍ、Ｃ、Ｋ）を省略して説明する。なお、転写装置３０には、制御部６０のうち後述する図７のフローチャートに従う制御を行う部分が含まれる。
【００３１】
〔転写ベルト及び駆動ロール〕
転写ベルトＴＢは、無端状とされている。また、駆動ロール３２は、駆動源（図示省略）により駆動されて、軸周りに回転しながら、転写ベルトＴＢを矢印Ｒ方向に移動させるようになっている。そして、転写ベルトＴＢは、各単色ユニット２１が形成した各トナー像Ｇを外周に保持しながら、各トナー像ＧをニップＮ２へ到達させるようになっている。ここで、転写ベルトＴＢは、移動体の一例である。
【００３２】
〔１次転写ロール〕
１次転写ロール３４Ｇは、単色ユニット２１Ｇが形成したトナー像Ｇ１を移動する転写ベルトＴＢにニップＮ１で１次転写する機能を有する。また、１次転写ロール３４Ｙ、３４Ｍ、３４Ｃ、３４Ｋは、それぞれ単色ユニット２１Ｙ、２１Ｍ、２１Ｃ、２１Ｋが形成したトナー像Ｇ２を移動する転写ベルトＴＢにニップＮ１で１次転写する機能を有する。
【００３３】
１次転写ロール３４は、導電性ロールとされている。また、各１次転写ロール３４は、それぞれ同等の構成とされている。１次転写ロール３４Ｇ、３４Ｙ、３４Ｍ、３４Ｃ、３４Ｋは、転写ベルトＴＢを挟んで、それぞれ単色ユニット２１Ｇ、２１Ｙ、２１Ｍ、２１Ｃ、２１Ｋの下側に配置されている。そのため、１次転写ロール３４Ｇ、３４Ｙ、３４Ｍ、３４Ｃ、３４Ｋは、ニップＮ２を基準とすると、転写ベルトＴＢの移動方向上流側から下流側にこれらの記載順で並べられている。つまり、１次転写ロール３４Ｇは、ニップＮ２を基準とすると、１次転写ロール３４Ｇ以外の１次転写ロール３４に対し転写ベルトＴＢの移動方向上流側に配置されている。ここで、１次転写ロール３４Ｇは１次転写部の一例、１次転写ロール３４Ｙ、３４Ｍ、３４Ｃ、３４Ｋは他の１次転写部の一例である。
【００３４】
各１次転写ロール３４は、それぞれ引っ張りばね（図示省略）により下側に引っ張られ、カム（図示省略）により上下方向に移動可能に構成されている。各１次転写ロール３４は、各トナー像Ｇを転写ベルトＴＢに１次転写しない場合、転写ベルトＴＢから離間して待機する待機位置に配置されている。これに対し、各１次転写ロール３４は、各トナー像Ｇを転写ベルトＴＢに１次転写する場合、カムにより待機位置から移動されて待機位置よりも上側の動作位置に配置され、各感光体２２とで転写ベルトＴＢを挟んで各感光体２２と転写ベルトＴＢとに各ニップＮ１を形成するようになっている。
【００３５】
また、各１次転写ロール３４は、電源ＰＳから１次転写電圧（正極性の電圧）が印加されることで、移動する転写ベルトＴＢに各感光体２２に形成された各トナー像ＧをニップＮ１で１次転写するようになっている。なお、後述する各モードに応じて電源ＰＳから１次転写電圧が印加されることで、各１次転写ロール３４は、複数水準の電流を流すようになっている。各１次転写ロール３４に流す電流と、各モードとの関係については、後述する制御部６０の説明の中で説明する。
【００３６】
また、各１次転写ロール３４は、各トナー像Ｇを１次転写する場合のみ、動作位置に配置され、１次転写電圧が印加されるようになっている。例えば、単色ユニット２１Ｇ以外の単色ユニット２１でトナー像Ｇを形成しない場合、１次転写ロール３４Ｇ以外の１次転写ロール３４は、待機位置に配置されたまま１次転写電圧が印加されないようになっている。なお、各１次転写ロール３４における上記の動作は、制御部６０により制御される。
【００３７】
〔２次転写ユニット〕
２次転写ユニット３６は、図１及び図３に示されるように、２次転写部７０と、除去部８０と、を含んで構成されている。
【００３８】
〈２次転写部〉
２次転写部７０は、転写ベルトＴＢに１次転写された各トナー像Ｇを、ニップＮ２で搬送装置４０によりニップＮ２に搬送される媒体Ｐに２次転写する機能を有する。２次転写部７０は、導電性ロール７２と、テンションロール７４と、導電性ベルトＣＢと、バックアップロール７６と、を備えている。
【００３９】
導電性ロール７２は、シャフト７２Ａと、円筒状の導電層７２Ｂと、を有している。そして、導電性ロール７２は、駆動源（図示省略）に駆動されて、軸周りに回転するようになっている。導電性ベルトＣＢは、無端状とされており、円筒状の導電層７２Ｂに巻きかかっている。テンションロール７４は、導電性ベルトＣＢを内周側から押圧して、導電性ベルトＣＢに張力を付与している。そして、導電性ロール７２が軸周りに回転すると、導電性ベルトＣＢが周回するようになっている。なお、導電性ロール７２のシャフト７２Ａは、接地されている。
【００４０】
バックアップロール７６（以下、ＢＵＲ７６とする。）は、転写ベルトＴＢを挟んで導電性ロール７２の反対側（上側）であって、導電性ロール７２に対して転写ベルトＴＢの移動方向下流側にオフセットした位置に配置されている。そして、ＢＵＲ７６は、導電性ロール７２とともに、転写ベルトＴＢ及び導電性ベルトＣＢを挟んで、転写ベルトＴＢと導電性ベルトＣＢとにニップＮ２を形成している。ＢＵＲ７６は、シャフト７６Ａと、円筒状の導電層７６Ｂと、を有している。
【００４１】
前述のとおり、画像形成動作、すなわち、転写動作が実行されている期間中、ＢＵＲ７６のシャフト７６Ａには、電源ＰＳから電圧が印加されるようになっている。具体的には、媒体ＰがニップＮ２を通過している期間中、ＢＵＲ７６には電源ＰＳから２次転写電圧（負極性の電圧）が印加され、転写ベルトＴＢと導電性ベルトＣＢとがトナー像Ｇを媒体Ｐに２次転写する電界をニップＮ２に形成するようになっている。これに対し、媒体ＰがニップＮ２を通過する前後において、ＢＵＲ７６には電源ＰＳから正極性の電圧が印加され、転写ベルトＴＢと導電性ベルトＣＢとは、ニップＮ２において転写ベルトＴＢに付着しているかぶりトナー等を転写ベルトＴＢに保持させる電界を形成するようになっている。
【００４２】
〈除去部〉
除去部８０は、導電性ベルトＣＢに付着したトナーＴ（前述のかぶりトナー等を含むトナー）を除去する機能を有する。除去部８０は、図３に示されるように、第１除去部８２と、第２除去部８４と、ハウジング８６と、を備えている。第１除去部８２及び第２除去部８４は、ハウジング８６内に配置されている。
【００４３】
第１除去部８２は、負極性に帯電しているトナーＴを除去する機能を有する。第１除去部８２は、導電性ブラシ８２Ａと、金属製シャフト８２Ｂと、を有している。導電性ブラシ８２Ａは、導電性ベルトＣＢに接触している（食い込んでいる）。金属製シャフト８２Ｂは、導電性ブラシ８２Ａに接触している。第２除去部８４は、正極性に帯電しているトナーＴを除去する機能を有する。第２除去部８４は、第１除去部８２よりも導電性ベルトＣＢの周回方向下流側の部位であってニップＮ２よりも上流側の部位に配置されている。第２除去部８４は、導電性ブラシ８４Ａと、金属製シャフト８４Ｂと、を有している。導電性ブラシ８４Ａは、導電性ベルトＣＢに接触している。
【００４４】
そして、金属製シャフト８４Ｂが駆動源（図示省略）により駆動されると、金属製シャフト８４Ｂは装置奥行き方向手前側から見て、反時計回りに回転するようになっている。また、導電性ブラシ８２Ａ、８４Ａ及び金属製シャフト８２Ｂは、金属製シャフト８４Ｂに設けられたギア（図示省略）に噛み合わされたギア（図示省略）を介して、トルクが伝達されるようになっている。その結果、金属製シャフト８２Ｂは反時計回りに、導電性ブラシ８２Ａ、８４Ａは、時計回りに回転するようになっている。以上のとおり、本実施形態では、導電性ブラシ８２Ａ、８４Ａ及び金属製シャフト８２Ｂは、金属製シャフト８４Ｂの回転に伴い回転し、金属製シャフト８４Ｂの停止に伴い停止するように構成されている。なお、本実施形態では、画像形成動作が実行されている期間中、金属製シャフト８４Ｂが軸周りに回転するようになっている。また、電源ＰＳにより金属製シャフト８２Ｂに正極性の電圧、金属製シャフト８４Ｂに負極性の電圧が印加され、第１除去部８２、第２除去部８４は、それぞれ負極性のトナーＴ、正極性のトナーＴを除去するようになっている。
【００４５】
［搬送装置］
搬送装置４０は、媒体Ｐを搬送する機能を有する。なお、搬送装置４０は、図１及び図３に示されるように、媒体Ｐを搬送方向ＣＤに搬送するようになっている。
【００４６】
［定着装置］
定着装置５０は、転写装置３０により媒体Ｐに２次転写された各トナー像Ｇを構成するトナーＴをニップＮ３で加熱、加圧して、媒体ＰにトナーＴを定着させる機能を有する。定着装置５０は、加熱部５０Ａと、加圧部５０Ｂと、を含んで構成されている。
【００４７】
［制御部］
制御部６０は、転写装置３０を構成する制御部６０以外の各部及び画像形成装置１０を構成する転写装置３０以外の各部（以下、制御部６０以外の各部という。）を制御する機能を有する。
【００４８】
制御部６０は、外部装置（図示省略）からジョブデータを受け取るように構成されている。ここで、ジョブデータは、データの一例である。ジョブデータを受け取った制御部６０は、一例として、図７のフローチャートに従い、画像形成装置１０を構成する制御部６０以外の各部を制御するようになっている。そして、制御部６０がジョブデータを受け取って上記各部を制御すると、画像形成装置１０は、画像形成動作を実行するようになっている。ここで、画像形成装置１０が画像形成動作を実行することは、画像形成装置１０を構成する転写装置３０が転写動作を行うことを意味する。なお、ジョブデータには、トナー像Ｇを各単色ユニット２１に形成させる画像データ、画像形成に用いる媒体Ｐのサイズ、画像形成に用いる媒体Ｐの幅（媒体Ｐの搬送方向ＣＤと直交する方向における媒体Ｐの幅のことをいう。）、枚数のデータ等が含まれている。また、画像データには、各単色ユニット２１でトナー像Ｇ（又は画像）を形成するため画像密度（％）のデータが含まれている。
【００４９】
以下、図７のフローチャートに示される制御における判断ステップＳ２００、判断ステップＳ２１０及び判断ステップＳ２２０について説明し、次いで、通常モード（ステップＳ２５０）及び特別モード（判断ステップＳ２１０で肯定判断をした場合のモード）について説明する。
【００５０】
〔判断ステップＳ２００〕
制御部６０は、判断ステップＳ２００において、単色ユニット２１Ｇにトナー像Ｇ１を形成させるかを判断するようになっている。別の見方をすれば、制御部６０は、ジョブデータ（に含まれる画像データ）に、トナー像Ｇ１を形成させるデータが含まれているかを判断するようになっている。そして、制御部６０は、判断ステップＳ２００において肯定判断した場合、判断ステップＳ２１０の判断を行うようになっている。これに対し、制御部６０は、判断ステップＳ２００において否定判断をした場合、画像形成装置１０が通常モードで画像形成動作を実行するように、制御部６０以外の各部を制御するようになっている（ステップＳ２５０）。通常モードについては後述する。
【００５１】
〔判断ステップＳ２１０〕
制御部６０は、判断ステップＳ２１０において、形成されるトナー像Ｇ１が定められた条件を満たす（成立する）を判断するようになっている。ここで、定められた条件を満たすとは、以下の第１条件を満たすこと、かつ、第２条件を満たすこととされている。
【００５２】
第１条件は、形成されるトナー像Ｇ１の画像幅の比率Ｒ１が予め定められた比率Ｒ２（以下、基準比率Ｒ２という。）よりも大きいこととされている。ここで、画像幅は、トナー像Ｇ１における媒体Ｐの幅方向に沿った幅のうち最大幅とされている。そして、画像幅の比率Ｒ１は、実際の画像形成に用いる媒体Ｐの幅に対するトナー像Ｇ１における媒体Ｐの幅方向に沿った幅のうち最大幅の比率とされている。また、基準比率Ｒ２とは、実際の画像形成に用いる媒体Ｐの幅に対する予め定められた比率とされている。本実施形態の予め定められた比率は、一例として１／２（５０％）とされている（図９参照）。別の見方をすれば、第１条件は、形成されるトナー像Ｇ１の画像幅が予め定められた幅（媒体Ｐの幅に基準比率Ｒ２を乗じた幅）よりも大きいこととされている。
【００５３】
第２条件は、形成されるトナー像Ｇ１の画像密度Ｃ１が予め定められた密度（以下、基準密度Ｃ２という。）よりも高いこととされている。ここで、トナーＭＴの画像密度は、露光装置２６が感光体２２上に形成する露光ドットを１画素とした場合、単位面積当たり含まれる総画素数に対してトナー像Ｇ１が現像装置２８により現像される画素数の百分率をいう。本実施形態の基準密度Ｃ２は、一例として９５％とされている（図９参照）。
【００５４】
そして、制御部６０は、判断ステップＳ２１０において肯定判断をした場合、画像形成装置１０が特別モード（後述する第１モード又は第２モード）で画像形成動作を実行するように、制御部６０以外の各部を制御するようになっている。なお、制御部６０が判断ステップＳ２１０において肯定判断をした場合は、ジョブデータに含まれるトナー像Ｇ１のデータが図９における領域Ａ１に含まれる場合とされる。この場合、画像形成装置１０が特別モードで画像形成動作を実行するとした理由については、本実施形態の作用の説明の中で説明する。
【００５５】
〔判断ステップＳ２２０〕
制御部６０は、判断ステップＳ２２０において、トナー像Ｇ１のみを形成するかを判断するようになっている。別の見方をすれば、制御部６０は、判断ステップＳ２２０において、トナー像Ｇ１のみを１次転写するかを判断するようになっている。そして、制御部６０は、判断ステップＳ２２０において肯定判断をした場合、画像形成装置１０が第１モード（ステップＳ２３０）で画像形成動作を実行するように、制御部６０以外の各部を制御するようになっている。これに対して、制御部６０は、判断ステップＳ２２０において否定判断をした場合、画像形成装置１０が第２モード（ステップＳ２４０）で画像形成動作を実行するように、制御部６０以外の各部を制御するようになっている。
【００５６】
〔通常モード及び特別モード〕
次に、通常モード及び特別モード（特別モードにおいては第１モード及び第２モード）について説明する。制御部６０は、各モード（通常モード並びに第１モード及び第２モードの何れか１つのモード）で制御部６０以外の各部を制御すると判断すると、電源ＰＳにより各１次転写ロール３４に各モードで予め定められた電流を流すようになっている（図８参照）。そして、転写装置３０は、各１次転写ロール３４に各モードに対応する電流を流して各トナー像Ｇを転写ベルトＴＢに１次転写して転写動作を実行するようになっている。
【００５７】
〈通常モード〉
通常モードは、各１次転写ロール３４に予め定められた電流（一例として４００μＡ）を流して、転写装置３０が（１次）転写動作を実行するモードとされている。なお、以下の説明において、通常モードにおける各１次転写ロール３４に流す予め定められた電流の大きさを電流値Ａとする。
【００５８】
〈第１モード〉
第１モードは、１次転写ロール３４Ｇに、予め定められた電流であって通常モードにおける各１次転写ロール３４に流す電流よりも小さい電流（一例として３００μＡ）を流して、転写装置３０が（１次）転写動作を実行するモードとされている。また、第１モードは、１次転写ロール３４Ｇ以外の１次転写ロール３４に、予め定められた電流であって通常モードと同等の電流（電流値Ａ）を流して、転写装置３０が（１次）転写動作を実行するモードとされている。なお、以下の説明において、第１モードにおける１次転写ロール３４Ｇに流す予め定められた電流の大きさを電流値Ｂ（＜電流値Ａ）とする。
【００５９】
〈第２モード〉
第２モードは、各１次転写ロール３４に、予め定められた電流であって、第１モードにおける１次転写ロール３４Ｇに流す電流よりも小さい電流（一例として２００μＡ）を流して、転写装置３０が（１次）転写動作を実行するモードとされている。なお、以下の説明において、第２モードにおける各１次転写ロール３４に流す予め定められた電流の大きさを電流値Ｃ（＜電流値Ｂ）とする。
【００６０】
以上が、本実施形態の画像形成装置１０の全体の構成についての説明である。
【００６１】
＜トナー＞
［扁平トナー（トナーＭＴ）］
トナーＭＴを構成するトナー粒子ＭＴＰは、一例として、図４に示されるように、金属顔料ＭＰと、バインダーＢＤと、を含んで構成されている。バインダーＢＤは、金属顔料ＭＰを覆っている。金属顔料ＭＰは、扁平とされている。具体的には、金属顔料ＭＰの長軸長さＬ１がは一例として５μｍ以上１２μｍ以下、その厚みＴ１が一例として０．０１μｍ以上０．５μｍ以下とされている。ここで、長軸長さＬ１とは、金属顔料ＭＰの厚み方向と直交する方向から金属顔料ＭＰを見た場合、金属顔料ＭＰの最も長い部分の長さをいう。そして、本実施形態のトナー粒子ＭＴＰは、その長軸長さＬ２が一例として７μｍ以上２０μｍ以下、その厚みＴ２が一例として１μｍ以上３μｍ以下とされている。ここで、長軸長さＬ２とは、トナー粒子ＭＴＰの厚み方向と直交する方向からトナー粒子ＭＴＰを見た場合、トナー粒子ＭＴＰの最も長い部分の長さをいう。以上のとおり、本実施形態のトナー粒子ＭＴＰは、含有されている金属顔料ＭＰの長軸長さＬ１／厚みＴ１が一例として１０以上１２００以下であって、トナー粒子ＭＴＰの長軸長さＬ１／厚みＴ２が一例として２．３以上２０以下の関係を有するトナー粒子をいう（そして、本実施形態のトナーＭＴは、上記の関係を有するトナー粒子ＭＴＰの集合体をいう）。なお、前述のとおり、本実施形態のトナーＭＴは金色であるが、トナー粒子ＭＴＰを構成する金属顔料ＭＰは一例としてアルミとされ、バインダーＢＤに一例としてイエロー（Ｙ）の顔料を分散させることで、金色とされている。
【００６２】
［非扁平トナー（トナーＮＴ）］
トナーＮＴを構成するトナー粒子ＮＴＰは、一例として、図５に示されるように、樹脂顔料ＲＰと、バインダーＢＤと、を含んで構成されている。また、トナー粒子ＮＴＰは、非扁平とされている。具体的には、本実施形態のトナー粒子ＮＴＰは、含有されている樹脂顔料ＲＰの長軸長さ／厚みが一例として１０未満であって、トナー粒子ＮＴＰの長軸長さ／厚みが一例として２．３未満の関係を有するトナー粒子をいう。また、本実施形態のトナー粒子ＮＴＰを平面に投影した場合の円形度は、一例として、０．９０以上とされている。以上より、本実施形態のトナー粒子ＮＴＰ（トナーＮＴ）は、非扁平のトナー粒子（トナー）とされている。
【００６３】
以上が、本実施形態の画像形成装置１０が用いるトナーＭＴ、ＮＴについての説明である。
【００６４】
＜補足＞
［補足１］
トナーＭＴは、図６（Ａ）及び（Ｂ）に示されるように、転写ベルトＴＢとともにニップＮ１、Ｎ２以外の部位を移動している期間中、転写ベルトＴＢの外周に対してほぼ直交する方向にその長軸（長手方向の軸）が沿った状態（立った状態）で、転写ベルトＴＢに付着している。これは、トナーＭＴがその長軸方向に沿った方向に分極しているためと推認される。なお、転写ベルトＴＢに立った状態で付着しているトナーＭＴは、ニップＮ１では感光体２２と転写ベルトＴＢとに挟まれて、ニップＮ２では転写ベルトＴＢと２次転写部７０の導電性ベルトＣＢとに挟まれて、倒れると推認される。
【００６５】
［補足２］
本実施形態の画像形成装置１０は、前述のとおり、単色ユニット２１Ｇを用いてトナー像Ｇ１を形成すると、扁平な金属顔料ＭＰを色素とした画像を形成するようになっている。このように扁平な金属顔料ＭＰを含むトナー粒子ＭＴＰで構成されるトナーＭＴを用いて画像を形成すると、当該画像は、光を反射して金属光沢感を生じさせる。
【００６６】
＜画像形成装置の画像形成動作＞
次に、本実施形態の画像形成装置１０の画像形成動作について、図面を参照しつつ説明する。まず、画像形成装置１０の基本的動作について説明し、次いで、外部装置（図示省略）から受け取った異なるジョブデータごとの動作について説明する。画像形成装置１０の基本的動作とは、ジョブデータが異なる場合であっても共通して行われる動作のことを意味する。
【００６７】
［基本的動作］
外部装置（図示省略）からジョブデータを受け取った制御部６０は、制御部６０以外の各部であるトナー像形成部２０、転写装置３０及び定着装置５０を作動させる。
【００６８】
制御部６０は、各帯電装置２４に各感光体２２を帯電させ、各露光装置２６に各感光体２２を露光させ、各現像装置２８に各トナー像Ｇを現像させて、各単色ユニット２１にトナー像Ｇを形成させる。また、制御部６０は、カムにより各１次転写ロール３４を動作位置に配置させ、電源ＰＳから各１次転写ロール３４に１次転写電圧を印加させ、各１次転写ロール３４に各モードに対応する電流を流す。その結果、各単色ユニット２１が形成した各トナー像Ｇは、各ニップＮ１で移動する転写ベルトＴＢに１次転写される。
【００６９】
また、制御部６０は、別の駆動源を駆動させ、２次転写部ユニット３６の導電性ベルトＣＢを周回させ、導電性ブラシ９２Ａ、９４Ａを軸周りに回転させる。また、制御部６０は、定着装置５０の加熱部５０Ａを加熱させる。
【００７０】
次いで、制御部６０は、転写ベルトＴＢ上の各トナー像Ｇが転写ベルトＴＢとともにニップＮ２に到達するタイミングに合わせて、搬送装置４０に媒体ＰをＮ２に向けて搬送させる。そして、制御部６０は、電源ＰＳからＢＵＲ７６のシャフト７６Ａに２次転写電圧が印加させる。その結果、転写ベルトＴＢ上の各トナー像Ｇは、ニップＮ２を通過する媒体Ｐに２次転写される。
【００７１】
次いで、制御部６０は、搬送装置４０に媒体Ｐを定着装置５０のニップＮ３に向けて搬送させる。そして、制御部６０は、媒体Ｐに２次転写された各トナー像Ｇを構成するトナーＴを加熱部５０Ａに加熱、加圧部５０Ｂに加圧させる。その結果、媒体Ｐ上の各トナー像Ｇは、媒体Ｐに定着される。そして、各トナー像Ｇが定着された媒体Ｐ（画像が形成された媒体Ｐ）は、搬送装置４０により画像形成装置１０の外に排出されて、画像形成装置１０の画像形成動作が終了する。
【００７２】
なお、導電性ベルトＣＢに付着したトナーＴ（前述のかぶりトナー等）は、導電性ベルトＣＢとともに周回し、除去部９０により導電性ベルトＣＢ上から除去される。
【００７３】
以上が、画像形成装置１０の基本的動作についての説明である。
【００７４】
［ジョブデータごとの動作］
次に、外部装置（図示省略）から受け取った異なるジョブデータごとの動作について図７を参照しつつ説明する。
【００７５】
〔ジョブデータにトナー像Ｇ１を形成させるデータが含まれていない場合〕
制御部６０は、判断ステップＳ２００で否定判断をして、ステップＳ２５０に従い通常モードで制御部６０以外の各部を制御する。そのため、制御部６０は、電源ＰＳにより各１次転写ロール３４に電流値Ａの電流を流して、各１次転写ロール３４に１次転写動作をさせる。そして、画像形成装置１０により画像形成が要求された媒体Ｐへの画像形成が実行されて、画像形成動作が終了する。
【００７６】
〔ジョブデータにトナー像Ｇ１を形成させるデータが含まれている場合〕
以下、３つのケースに分けて説明する。なお、これらのケースでは、制御部６０は、前提として判断ステップＳ２００において肯定判断して、判断ステップＳ２１０の判断を行う。
【００７７】
〈トナー像Ｇ１のデータが予め定められた条件を満たしていないケース〉
このケースは、トナー像Ｇ１のデータが図８における領域Ａ１に含まれていないケースとされる。制御部６０は、判断ステップＳ２１０で否定判断をして、ステップＳ２５０に従い通常モードで制御部６０以外の各部を制御する。そのため、制御部６０は、電源ＰＳにより各１次転写ロール３４に電流値Ａの電流を流して、各１次転写ロール３４に１次転写動作をさせる。そして、画像形成装置１０により画像形成が要求された媒体Ｐへの画像形成が実行されて、画像形成動作が終了する。
【００７８】
〈トナー像Ｇ１のデータが予め定められた条件を満たし、トナー像Ｇ１のみを形成するケース〉
このケースは、トナー像Ｇ１のデータが図８における領域Ａ１に含まれており、かつ、単色ユニット２１Ｇのみでトナー像Ｇを形成するケースとされる。制御部６０は、判断ステップＳ２２０で肯定判断をして、ステップＳ２３０に従い第１モードで制御部６０以外の各部を制御する。そのため、制御部６０は、電源ＰＳにより１次転写ロール３４Ｇに電流値Ｂを流して、１次転写ロール３４Ｇに１次転写動作をさせる。そして、画像形成装置１０により画像形成が要求された媒体Ｐへの画像形成が実行されて、画像形成動作が終了する。
【００７９】
〈トナー像Ｇ１のデータが予め定められた条件を満たし、トナー像Ｇ１及びトナー像Ｇ２を形成するケース〉
このケースは、トナー像Ｇ１のデータが図８における領域Ａ１に含まれており、かつ、単色ユニット２１Ｇでトナー像Ｇ１を、単色ユニット２１Ｇ以外の単色ユニット２１の１つ以上でトナー像Ｇ２を形成するケースとされる。制御部６０は、判断ステップＳ２２０で否定判断をして、ステップＳ２４０に従い第２モードで制御部６０以外の各部を制御する。そのため、制御部６０は、電源ＰＳにより各１次転写ロール３４に電流値Ｃの電流を流して、各１次転写ロール３４に１次転写動作をさせる。そして、画像形成装置１０により画像形成が要求された媒体Ｐへの画像形成が実行されて、画像形成動作が終了する。
【００８０】
以上が、本実施形態の画像形成装置１０の画像形成動作についての説明である。
【００８１】
＜作用＞
次に、本実施形態の作用について説明する。
【００８２】
まず、本実施形態の作用について図面を参照しつつ説明する。なお、以下の説明において、本実施形態の作用を比較形態（第１〜第５比較形態）の作用と比較して行う場合であって、比較形態に本実施形態で用いた部品等と同じ部品等を用いる場合、その部品等の符号をそのまま用いる。
【００８３】
［第１の作用］
第１の作用については、本実施形態の転写装置３０及び画像形成装置１０を以下に説明する第１比較形態の転写装置及び画像形成装置（図示省略）と比較して説明する。
【００８４】
第１比較形態の画像形成装置は、１次転写動作の際、ジョブデータに拘わらず各１次転写ロール３４に流す電流を変更することができない。そして、各１次転写ロール３４に流す電流の電流値は、電流値Ａとされている。第１比較形態の転写装置及び画像形成装置は、上記の点以外は、本実施形態の転写装置３０及び画像形成装置１０と同様の構成とされている。また、第１比較形態の画像形成装置の画像形成動作は、本実施形態の画像形成装置１０の画像形成動作との関係において、制御部６０がジョブデータを受け取った後、図８のフローチャートの判断を行わない点以外は、本実施形態の画像形成装置１０の場合と同様とされている。
【００８５】
第１比較形態の画像形成装置では、本実施形態の画像形成装置１０と同様、画像形成動作が行われる期間中、制御部６０は、２次転写ユニット３６の除去部８０を構成する金属製シャフト９４Ｂの駆動源（図示省略）を駆動させる。これに伴い、金属製シャフト９４Ｂは軸周りに回転し、導電性ロール７２は、導電性ブラシ８２Ａ、８４Ａ及び金属製シャフト８２Ｂ、８４Ｂのギア（図示省略）の回転に伴い装置奥行き方向及び装置高さ方向に振動する。そして、導電性ロール７２の振動に伴い、導電性ベルトＣＢも、装置奥行き方向及び装置高さ方向に振動する。その結果、第１比較形態の場合、転写ベルトＴＢに立った状態で付着しているトナーＭＴは、２次転写の際に、その通過するタイミングに応じて媒体Ｐの厚み方向に対してトナーＭＴの傾斜角度が周期的に変化される。例えば、金属製シャフト９４Ｂが軸周りに回転し、導電性ロール７２は、導電性ブラシ８２Ａ、８４Ａ及び金属製シャフト８２Ｂ、８４Ｂのギア（図示省略）の回転に伴い装置奥行き方向及び装置高さ方向に振動する場合、トナーＭＴは、装置奥行き方向手前側又は奥側（媒体Ｐの幅方向一方側又は他方側）に交互に倒れて媒体Ｐに２次転写される。そのため、２次転写されたトナー像Ｇ１を構成するトナーＭＴが媒体Ｐに定着されると、扁平な金属顔料ＭＰは、図１１（Ａ）〜（Ｃ）に示されるように、導電性ロール７２の振動周期で交互に媒体Ｐの幅方向一方側又は他方側に倒れた状態となっている。そして、トナー像Ｇ１のデータが図８における領域Ａ１に含まれている場合、第１比較形態の画像形成装置で形成した画像は、扁平な金属顔料ＭＰの姿勢の周期的なばらつきの大きさが顕著となる。
【００８６】
ここで、トナーＭＴは、トナー像Ｇ１の幅が広いほど、画像密度Ｃ１が高いほど、ニップＮ２において転写ベルトＴＢと媒体Ｐとの間で滑り易いと推認される。また、前述のとおり、導電性ベルトＣＢは、装置奥行き方向及び装置高さ方向に振動することから、トナーＭＴは、トナー像Ｇ１の形成される幅が広いほど、トナーＭＴの画像密度Ｃ１が高いほど、ニップＮ２で滑って装置奥行き方向（導電性ベルトＣＢの振動方向）に倒れ易くなると推認される。そして、本願の発明者は、トナー像Ｇ１のデータが図１０における領域Ａ２内の場合、扁平な金属顔料ＭＰの姿勢の周期的なばらつきが大きい画像が形成されることの知見を得た。そこで、本実施形態では、図１０の領域Ａ２を含み、比率Ｒ１と画像密度Ｃ１とで表される２次元領域において基準比率Ｒ２と基準密度Ｃ２とを閾値として簡単に特定できる図１０の領域Ａ１を、予め定められた条件を満たす領域とした。
【００８７】
これに対して、本実施形態の画像形成装置１０では、図７に示されるように、制御部６０は、判断ステップＳ２００及び判断ステップＳ２１０で肯定判断をした場合、判断ステップＳ２２０の判断を行う。そして、本実施形態の制御部６０は、判断ステップＳ２２０の判断において何れの判断をした場合あっても画像形成装置１０が第１モード又は第２モードで画像形成動作を実行するように、制御部６０以外の各部を制御する。つまり、本実施形態の転写装置３０は、図７に示されるように、特別モードにおける１次転写ロール３４Ｇに流す電流の電流値（電流値Ｂ又は電流値Ｃ）を、通常モードにおける１次転写ロール３４Ｇに流す電流の電流値（電流値Ａ）よりも小さくして、１次転写動作を実行する。
【００８８】
ここで、１次転写ロール３４Ｇに流れる電流が大きいほど、転写ベルトＴＢに１次転写されたトナー像Ｇ１を構成するトナーＭＴは、その帯電量分布の平均がより負側にシフトし易い。別の見方をすれば、１次転写ロール３４Ｇに流れる電流が小さいほど、トナー像Ｇ１を構成するトナーＭＴはその帯電量分布の平均がより正側にシフトし易い。これは、トナー像Ｇ１がニップＮ１で１次転写される際、トナーＭＴに電荷が注入されること等により生じる現象と推認される。そして、トナーＭＴは、その帯電量分布の平均が正（ゼロ）にシフトしているほど、ニップＮ２において２次転写電界により影響を受け難い（力を受け難い）。
【００８９】
したがって、本実施形態の転写装置３０によれば、第１条件及び第２条件を満たす場合に１次転写ロール３４Ｇに流す電流を、第１条件及び第２条件を満たさない場合に１次転写ロール３４Ｇに流す電流と同等（又は同等以上）とする転写装置に比べて、媒体Ｐへの転写の際に（２次転写の際に）トナーＭＴの傾斜角度を媒体Ｐの厚み方向に対して周期的に変化させ難い。これに伴い、本実施形態の画像形成装置１０によれば、第１条件及び第２条件を満たす場合に１次転写ロール３４Ｇに流す電流を、第１条件及び第２条件を満たさない場合に１次転写ロール３４Ｇに流す電流よりと同等にする転写装置を備えた画像形成装置に比べて、金属顔料ＭＰの姿勢の周期的なばらつきが小さい画像を形成することができる。
【００９０】
［第２の作用］
第２の作用については、本実施形態の転写装置３０及び画像形成装置１０を以下に説明する第２比較形態の転写装置３０Ａ及び画像形成装置１０Ａと比較して説明する。
【００９１】
第２比較形態の画像形成装置１０Ａは、図１２のフローチャートのとおり、本実施形態の画像形成装置１０（図７参照）と比べると、判断ステップＳ２１０がない。そのため、第２比較形態の制御部６０は、本実施形態における判断ステップＳ２１０の定められた条件を満たすかについて判断しない。そして、第２比較形態の制御部６０は、単色ユニット２１Ｇにトナー像Ｇ１を形成させる場合（判断ステップＳ２００で肯定判断をした場合）、定められた条件を満たすか否かに拘わらず、判断ステップＳ２２０を判断する。第２比較形態の転写装置３０Ａ及び画像形成装置１０Ａは、上記の点以外は、第１実施形態の転写装置３０及び画像形成装置１０と同様の構成とされている。また、第２比較形態の画像形成装置１０Ａの画像形成動作は、本実施形態の画像形成装置１０の画像形成動作との関係において、制御部６０が判断ステップＳ２１０の判断を行わない点以外は、本実施形態の画像形成装置１０の場合と同様とされている。なお、第２比較形態の転写装置３０Ａ及び画像形成装置１０Ａは、本発明の技術的範囲に属する。
【００９２】
第２比較形態の画像形成装置１０Ａは、ジョブデータに含まれるトナー像Ｇ１のデータが図９における領域Ａ１に含まれる場合、通常モードで画像形成動作を実行する画像形成装置に比べて、金属顔料ＭＰの姿勢の周期的なばらつきが小さい画像を形成することができる。しかしながら、第２比較形態の画像形成装置１０Ａは、ジョブデータに含まれるトナー像Ｇ１の画像幅の比率Ｒ１が基準比率Ｒ２以下であり、かつ、画像密度Ｃ１が基準密度Ｃ２よりも高い場合、特別モードで画像形成動作を実行する。つまり、第２比較形態の画像形成装置１０Ａは、画像密度Ｃ１が基準密度Ｃ２よりも高い場合、第１モード又は第２モードで画像形成動作を実行する。
【００９３】
これに対して、本実施形態の画像形成装置１０は、図７に示されるように、ジョブデータに含まれるトナー像Ｇ１の画像幅の比率Ｒ１が基準比率Ｒ２以下であり、かつ、画像密度Ｃ１が基準密度Ｃ２よりも高い場合、制御部６０が判断ステップＳ２１０で肯定判断し、通常モードで画像形成動作を実行する。そのため、本実施形態の画像形成装置１０は、ジョブデータに含まれるトナー像Ｇ１のデータが図９の領域Ａ１に含まれる場合（特別モードの制御が必要な場合）、１次転写ロール３４Ｇに流す電流の電流値（電流値Ｂ、電流値Ｃ）を通常モードの場合の電流値（電流値Ａ）よりも小さくする。
【００９４】
したがって、本実施形態の転写装置３０によれば、予め定められた条件を満たすかを判断しない転写装置に比べて、適切な条件で１次転写ロール３４Ｇに流す電流を小さくすることができる。
【００９５】
［第３の作用］
第３の作用については、本実施形態の転写装置３０及び画像形成装置１０を以下に説明する第３比較形態の転写装置（図示省略）及び画像形成装置（図示省略）と比較して説明する。
【００９６】
第３比較形態の画像形成装置は、画像幅の比率Ｒ１を転写ベルトＴＢにおけるトナー像Ｇが形成可能な最大の幅（以下、形成可能最大幅という。）に対する実際にトナー像Ｇが形成される幅の比率とし、基準比率Ｒ２を形成可能最大幅に対する予め定められた幅の比率（一例として５０％）としている。そして、第３比較形態の画像形成装置の制御部６０は、画像幅の比率Ｒ１及び基準比率Ｒ２を転写ベルトＴＢにおける形成可能最大幅に対する比率として、判断ステップＳ２１０を行う。第３比較形態の転写装置及び画像形成装置は、上記の点以外は本実施形態の転写装置３０及び画像形成装置１０と同様の構成とされている。また、第３比較形態の画像形成装置の画像形成動作は、本実施形態の画像形成装置１０の画像形成動作との関係において、上記の点以外は本実施形態の画像形成装置１０の場合と同様とされている。なお、第３比較形態の画像形成装置は、本発明の技術的範囲に属する。
【００９７】
第３比較形態の転写装置は、トナー像Ｇ１のデータが図９における領域Ａ１に含まれる場合であっても当該データが第３比較形態の基準比率Ｒ２以下のときに特別モードを実行しない場合がある。例えば、形成可能最大幅が２８０ｍｍとすれば予め定められた幅は１４０ｍｍとなる。この場合、第３比較形態の転写装置で幅１００ｍｍの媒体Ｐに、画像密度Ｃ１が基準密度Ｃ２より高く、かつ、画像幅が５０ｍｍ（媒体Ｐの幅に対する画像幅の比率が５０％）よりも大きいトナー像Ｇ１を転写するに際し、制御部６０は特別モードを選択しない。つまり、第３比較形態の転写装置は、扁平な金属顔料ＭＴの姿勢の周期的なばらつきが大きい画像が形成される条件において、１次転写ロール３４Ｇに流す電流を通常モードの電流（電流値Ａ）として１次転写を実行する場合がある。
【００９８】
これに対して、本実施形態の制御部６０は、画像幅の比率Ｒ１及び基準比率Ｒ２を実際の画像形成に用いる媒体Ｐの幅ごとに対する比率として、判断ステップＳ２１０を行う。そのため、本実施形態の制御部６０は、実際の画像形成に用いる媒体Ｐの幅に応じて、基準比率Ｒ２を変更することができる。
【００９９】
したがって、本実施形態の転写装置３０によれば、用いる媒体Ｐの幅に応じてニップ部の圧を変更することができる。
［第４の作用］
第４の作用については、本実施形態の転写装置３０及び画像形成装置１０を以下に説明する第４比較形態の転写装置３０Ｂ及び画像形成装置１０Ｂと比較して説明する。
【０１００】
第４比較形態の転写装置３０Ｂ及び画像形成装置１０Ｂは、図１３に示されるとおり、本実施形態の画像形成装置１０（図８参照）と比べると、第２モードで１次転写ロール３４Ｇに流す電流が異なる。具体的には、本実施形態の第２モードで１次転写ロール３４Ｇに流す電流の電流値は電流値Ｃとされているのに対し、第４比較形態の第２モードで１次転写ロール３４Ｇに流す電流の電流値は電流値Ｂ（＞電流値Ｃ）とされている。すなわち、本実施形態では第２モードで１次転写ロール３４Ｇに流す電流が第１モードで１次転写ロール３４Ｇに流す電流よりも小さいのに対し、第４比較形態では第２モードで１次転写ロール３４Ｇに流す電流が第１モードで１次転写ロール３４Ｇに流す電流と同等とされている。第４比較形態の転写装置３０Ｂ及び画像形成装置１０Ｂは、上記の点以外は本実施形態の転写装置３０及び画像形成装置１０と同様の構成とされている。また、第４比較形態の画像形成装置の画像形成動作は、本実施形態の画像形成装置１０の画像形成動作との関係において、上記の点以外は本実施形態の画像形成装置１０の場合と同様とされている。なお、第４比較形態の転写装置３０Ｂ及び画像形成装置１０Ｂは、本発明の技術的範囲に属する。
【０１０１】
第４比較形態では、例えば、すべての単色ユニット２１を用いてすべてのトナー像Ｇを１次転写する場合（第２モードの場合）のトナー像Ｇ１は、５ヶ所のニップＮ１を通過してニップＮ２に到達する。これに対し、単色ユニット２１Ｇのみを用いてトナー像Ｇを１次転写する場合（第１モードの場合）の１次転写されたトナー像Ｇ１は、１ヶ所のニップＮ１を通過してニップＮ２に到達する。前者のトナー像Ｇ１を構成するトナーＭＴは、後者のトナー像Ｇ１を構成するトナーＭＴに比べて、Ｎ１を通過する回数が多い分その帯電量分布の平均がより負側にシフトされて、ニップＮ２に到達する。そのため、前者のトナー像Ｇ１を構成するトナーＭＴは、後者のトナー像Ｇ１を構成するトナーＭＴに比べて、ニップＮ２において２次転写電界による影響を受け易い（力を受け易い）。
【０１０２】
次に、本実施形態の場合について説明する。本実施形態の場合も、第４比較形態のように、第２モードの場合のトナー像Ｇ１を構成するトナーＭＴは、第１モードの場合のトナー像Ｇ１を構成するトナーＭＴに比べて、ニップＮ２で２次転写電界による影響を受け易い（力を受け易い）。しかし、本実施形態では、図８に示されるように、第２モードで１次転写ロール３４Ｇに流す電流は、第１モードで１次転写ロール３４Ｇに流す電流よりも小さい。また、前述のとおり、第２モードで転写動作が実行される場合、本実施形態の１次転写ロール３４Ｇに流す電流の電流値Ｃは、第４比較形態の１次転写ロール３４Ｇに流す電流の電流値Ｂよりも小さい。そのため、第２モードにおいて、本実施形態のトナー像Ｇ１を構成するトナーＭＴは、比較形態のトナー像Ｇ１を構成するトナーＭＴに比べて、１次転写ロール３４Ｇに流す電流が小さい分、その帯電量分布の平均がより負側にシフトし難い。その結果、第２モードで転写動作が実行される場合、本実施形態のトナー像Ｇ１は、比較形態のトナー像Ｇ１に比べて、ニップＮ２で２次転写電界による影響を受け難い（力を受け難い）。
【０１０３】
したがって、本実施形態の転写装置３０によれば、トナー像Ｇ１及びトナー像Ｇ２を１次転写する場合に流す電流をトナー像Ｇ１のみを１次転写する場合に流す電流と同等とする転写装置に比べて、トナー像Ｇ１及びトナー像Ｇ２を２次転写した場合に媒体Ｐに２次転写されたトナー像Ｇ１を構成するトナーＭＴの傾斜角度を媒体Ｐの厚み方向に対して周期的に変化させ難い。
これに伴い、本実施形態の画像形成装置１０によれば、トナー像Ｇ１及びトナー像Ｇ２を１次転写する場合に流す電流をトナー像Ｇ１のみを１次転写する場合に流す電流と同等とする転写装置を備えた画像形成装置に比べて、金属顔料ＭＰの姿勢の周期的なばらつきが小さい画像を形成することができる。
【０１０４】
［第５の作用］
第５の作用については、本実施形態の転写装置３０及び画像形成装置１０を以下に説明する第５比較形態の転写装置３０Ｃ及び画像形成装置１０Ｃと比較して説明する。
【０１０５】
第５比較形態の転写装置３０Ｃ及び画像形成装置１０Ｃは、図１４に示されるとおり、本実施形態の画像形成装置１０（図８参照）と比べると、第２モードで１次転写ロール３４Ｇ以外の１次転写ロール３４に流す電流が異なる。具体的には、本実施形態の第２モードで１次転写ロール３４Ｇ以外の１次転写ロール３４に流す電流の電流値は電流値Ｃとされるのに対し、第５比較形態の第２モードで１次転写ロール３４Ｇ以外の１次転写ロール３４に流す電流の電流値は電流値Ａ（＞電流値Ｃ）とされている。すなわち、本実施形態では第２モードで各１次転写ロール３４に流す電流は電流値Ｃで同等であるのに対し、第５比較形態では第２モードで１次転写ロール３４Ｇに流す電流の電流値Ａは１次転写ロール３４Ｇに流す電流の電流値Ｃよりも大きい。第５比較形態の転写装置３０Ｃ及び画像形成装置１０Ｃは、上記の点以外は本実施形態の転写装置３０及び画像形成装置１０と同様の構成とされている。また、第５比較形態の画像形成装置の画像形成動作は、本実施形態の画像形成装置１０の画像形成動作との関係において、上記の点以外は本実施形態の画像形成装置１０の場合と同様とされている。なお、第５比較形態の転写装置３０Ｃ及び画像形成装置１０Ｃは、本発明の技術的範囲に属する。
【０１０６】
第５比較形態では、第２モードの場合のトナー像Ｇ１を構成するトナーＭＴは、第１モードの場合のトナー像Ｇ１を構成するトナーＭＴに比べて、Ｎ１を通過する回数が多い分その帯電量分布の平均がより負側にシフトされて、ニップＮ２に到達する。そのため、前者のトナー像Ｇ１を構成するトナーＭＴは、後者のトナー像Ｇ１を構成するトナーＭＴに比べて、ニップＮ２において２次転写電界による影響を受け易い（力を受け易い）。
【０１０７】
次に、本実施形態の場合について説明する。本実施形態の場合も、第５比較形態のように、第２モードの場合のトナー像Ｇ１を構成するトナーＭＴは、第１モードの場合のトナー像Ｇ１を構成するトナーＭＴに比べて、ニップＮ２で２次転写電界による影響を受け易い（力を受け易い）。しかし、第２モードで転写動作が実行される場合、図８に示されるように、本実施形態において１次転写ロール３４Ｇ以外の１次転写ロール３４に流す電流の電流値Ｃは、第５比較形態において１次転写ロール３４Ｇ以外の１次転写ロール３４に流す電流の電流値Ａよりも小さい。そのため、第２モードにおいて、本実施形態のトナー像Ｇ１を構成するトナーＭＴは、比較形態のトナー像Ｇ１を構成するトナーＭＴに比べて、１次転写ロール３４Ｇ以外のすべての１次転写ロール３４に流す電流が小さい分、その帯電量分布の平均がより負側にシフトし難い。その結果、第２モードで転写動作が実行される場合、本実施形態のトナー像Ｇ１は、比較形態のトナー像Ｇ１に比べて、ニップＮ２で２次転写電界による影響を受け難い（力を受け難い）。
【０１０８】
したがって、本実施形態の転写装置３０によれば、トナー像Ｇ１及びトナー像Ｇ２を１次転写する場合に流す電流をトナー像Ｇ１のみを１次転写する場合に流す電流と同等としない転写装置に比べて、トナー像Ｇ１及びトナー像Ｇ２を２次転写した場合に媒体Ｐに２次転写されたトナー像Ｇ１を構成するトナーＭＴの扁平な金属顔料ＭＰの傾斜角度を媒体Ｐの厚み方向に対して周期的に変化させ難い。これに伴い、本実施形態の画像形成装置１０によれば、トナー像Ｇ１及びトナー像Ｇ２を１次転写する場合に流す電流をトナー像Ｇ１のみを１次転写する場合に流す電流と同等としない転写装置を備えた画像形成装置に比べて、金属顔料ＭＰの姿勢の周期的なばらつきが小さい画像を形成することができる。
【０１０９】
≪第２実施形態≫
次に、第２実施形態について図面を参照しつつ説明する。まず、本実施形態の画像形成装置１０Ｄ（図１５参照）の構成について説明する。次いで、本実施形態の画像形成装置１０Ｄの画像形成動作について説明する。次いで、本実施形態の作用について説明する。なお、以下の説明において、本実施形態の説明では、第１実施形態で用いた部品等と同じ部品等を用いる場合、その部品等の符号をそのまま用いる。
【０１１０】
＜画像形成装置の構成＞
本実施形態の画像形成装置１０Ｄでは、図１５に示されるように、第１実施形態の画像形成装置１０と比べると、単色ユニット２１Ｇ（１次転写ロール３４Ｇ）は、ニップＮ２を基準とすると、すべての単色ユニット２１（１次転写ロール３４）のうち転写ベルトＴＢの移動方向最下流に配置されている。本実施形態の画像形成装置１０Ｄの構成は、この点及び後述する第２モードの電流の値以外は第１実施形態の画像形成装置１０と同等の構成とされている。
【０１１１】
＜画像形成装置の画像形成動作＞
本実施形態の転写装置３０Ｄ及び画像形成装置１０Ｄは、図１６に示されるとおり、第１実施形態の画像形成装置１０（図８参照）と比べると、第２モードで１次転写ロール３４Ｇに流す電流が異なる。具体的には、本実施形態の第２モードで１次転写ロール３４Ｇに流す電流の電流値は、電流値Ｂ（＞電流値Ｃ）とされ、第１モードで１次転写ロール３４Ｇに流す電流の電流値と同等とされている。また、本実施形態の第２モードで１次転写ロール３４Ｇ以外の１次転写ロール３４に流す電流の電流値は、電流値Ａ（＞電流値Ｃ）とされている。本実施形態の画像形成装置の画像形成動作は、第１実施形態の画像形成装置１０の画像形成動作との関係において、上記の点以外は本実施形態の画像形成装置１０の場合と同様とされている。
【０１１２】
＜作用＞
本実施形態の場合、前述のとおり、単色ユニット２１Ｇ（１次転写ロール３４Ｇ）はすべての単色ユニット２１（１次転写ロール３４）のうち転写ベルトＴＢの移動方向最下流に配置されている。第２実施形態の場合、トナー像Ｇ１のみを形成するか否かに拘わらず、すなわち、第１モード及び第２モードの何れのモードであっても、トナー像Ｇ１がニップＮ１を通過する回数は１回とされる。つまり、本実施形態の場合、第１モード及び第２モードの何れのモードであっても、各トナー像Ｇ１は、各トナー像Ｇ１を構成する各トナーＭＴの帯電量分布の平均が同等のまま、ニップＮ２に到達する。そのため、本実施形態の場合、第１実施形態のように、第２モードで１次転写ロール３４Ｇに流す電流を第１モードで１次転写ロール３４Ｇに流す電流よりも小さくする必要がない。
【０１１３】
第２実施形態の作用は、第１実施形態の第１〜第３の作用と同様である。
【０１１４】
以上のとおり、本発明を特定の実施形態について詳細に説明したが、本発明は前述した実施形態に限定されるものではなく、本発明の技術的思想の範囲内にて他の実施形態が可能である。
【０１１５】
例えば、第１実施形態の画像形成装置１０は、制御部６０が判断ステップＳ２００、判断ステップＳ２１０、判断ステップＳ２２０を判断し、その判断に応じた画像形成動作（モード）を実行するとして説明した。しかしながら、上記各判断に応じたモードは一例であり、第１実施形態の画像形成装置１０は、他のモードを有していてもよい。他の実施形態の画像形成装置１０Ａ、１０Ｂ、１０Ｃ及び１０Ｄの場合も同様である。
【０１１６】
また、第１実施形態の画像形成装置１０が用いるトナーＭＴは金色であるとして説明した。しかしながら、トナーＭＴが扁平な金属顔料を含む扁平トナーであれば、トナーＭＴは金色でなくてもよい。例えば、銀色等であってもよい。他の実施形態の画像形成装置１０Ａ、１０Ｂ、１０Ｃ及び１０Ｄの場合も同様である。
【０１１７】
また、第１実施形態の画像形成装置１０では、図１に示されるように、単色ユニット２１Ｇはトナー像形成部２０のうち転写ベルトＴＢの移動方向最上流に配置されている。また、第２実施形態の１０Ｄでは、図１５に示されるように、単色ユニット２１Ｇはトナー像形成部２０のうち転写ベルトＴＢの移動方向最下流に配置されている。しかしながら、トナー像形成部２０に単色ユニット２１Ｇが含まれていれば、単色ユニット２１Ｇの配置は転写ベルトＴＢの移動方向最上流及び最下流でなくてもよい。例えば、単色ユニット２１Ｇが一部の単色ユニット２１（２１Ｙ、２１Ｍ）よりも転写ベルトＴＢの移動方向下流側であって、残りの一部の単色ユニット２１（２１Ｃ、２１Ｋ）よりも転写ベルトＴＢの移動方向上流側に配置されていてもよい。
【０１１８】
また、第１実施形態の画像形成装置１０では、ＢＵＲ７６に２次転写電圧が印加され、２次転写部７０を構成する導電性ロール７２が接地されているとして説明した。しかしながら、導電性ロール７２に２次転写電圧が印加され、ＢＵＲ７６が接地されるようにしてもよい。他の実施形態の画像形成装置１０Ａ、１０Ｂ、１０Ｃ及び１０Ｄの場合も同様である。
【０１１９】
また、第１実施形態の画像形成装置１０では、２次転写部７０は、２次転写部７０は、導電性ロール７２と、テンションロール７４と、導電性ベルトＣＢと、バックアップロール７６と、を備えているとして説明した。しかしながら、２次転写部が転写ベルトＴＢに１次転写された各トナー像Ｇを、ニップＮ２で媒体Ｐに２次転写する機能を有すればよい。例えば、導電性ベルトＣＢを備えず、ＢＵＲ７６と導電性ロール７２とで転写ベルトＴＢを挟んでニップＮ２を形成するようにしてもよい。
【０１２０】
また、第１実施形態の画像形成装置１０では、２次転写ユニット３４を構成する除去部９０に第１除去部９２及び第２除去部９４が備えられているとして説明した。しかしながら、除去部９０に軸周りに回転する回転体が備えられていれば、第１除去部９２及び第２除去部９４の何れか一方がなくてもよい。他の実施形態の画像形成装置１０Ａ、１０Ｂ、１０Ｃ及び１０Ｄの場合も同様である。
【０１２１】
また、第１実施形態の画像形成装置１０では、２次転写ユニット３４を構成する除去部９０に第１除去部９２及び第２除去部９４が備えられているとして説明した。しかしながら、２次転写ユニット３４は、第１除去部９２及び第２除去部９４に換えて、一例としてトナーＴを搬送するオーガ等の回転体を備えていてもよい。つまり、２次転写ユニット３４は、転写部に接触する回転体を備えずに、転写部に非接触の回転体を備えていてもよい。そして、転写部に非接触の回転体が回転することに伴い、当該回転体が転写部を振動させ、トナーＭＴを搬送される媒体Ｐの厚み方向に対して周期的に傾斜角度を変化させる原因となり得る。
【０１２２】
また、第１実施形態の画像形成装置１０では、第１除去部９２及び第２除去部９４において、金属製シャフト９２Ｂ、９４Ｂに電圧を印加するとして説明した。しかしながら、導電性ブラシ９２Ａ、９４Ａに直接電圧を印加するように構成してもよい。
【０１２３】
また、第１実施形態の画像形成装置１０では、基準比率Ｒ２の一例を１／２（５０％）より大きいこととし、基準密度Ｃ２の一例を９５％として説明した。しかしながら、これらは、前述のとおり、トナーＭＴの金属顔料ＭＰの姿勢の周期的なばらつきが大きい画像が形成されるかを官能評価により条件であることから、別の条件としてもよい。例えば、基準比率Ｒ２を一例として２／３より大きいこととし、基準密度Ｃ２を一例として８５％としてもよい。他の実施形態の画像形成装置１０Ａ、１０Ｂ、１０Ｃ及び１０Ｄの場合も同様である。
【０１２４】
また、第１実施形態の画像形成装置１０は、判断ステップＳ２１０に従いジョブデータに含まれるトナーＭＴのトナー像のデータが図９における領域Ａ１に含まれる場合に特別モードで画像形成動作を実行するとして説明した。しかしながら、ジョブデータに含まれるトナーＭＴのトナー像のデータが図１０における領域Ａ２に含まれる場合に特別モードで画像形成動作を実行するように、判断ステップＳ２１０の条件として用いてもよい。
【０１２５】
また、本発明の技術的範囲に含まれる第３比較形態の画像形成装置では、画像幅の比率Ｒ１及び基準比率Ｒ２を転写ベルトＴＢにおける形成可能幅に対する比率として説明した。しかしながら、形成可能幅は、画像幅の比率Ｒ１及び基準比率Ｒ２における基準の一例であり、画像幅の比率Ｒ１及び基準比率Ｒ２の基準を他の部材等の幅としてもよい。例えば、当該基準を、画像形成装置が搬送可能な媒体Ｐの最大幅、転写ベルトＴＢの幅、導電性ロール７２の幅、ＢＵＲ７６の幅、感光体２２の幅その他の幅としてもよい。
【０１２６】
また、第１実施形態の画像形成装置１０では、実際に画像形成に用いる媒体Ｐの幅に応じて比率Ｒ１及び基準比率Ｒ２を変更するとして説明した。しかしながら、本発明は、画像形成装置が用いる媒体Ｐの幅が一定の幅とされており（一例としてＡ４サイズの媒体Ｐのみを同じ向きで搬送して画像形成を行う画像形成装置）についても適用される。この場合、実際に画像形成に用いる媒体Ｐの幅は一定であることから、比率Ｒ１及び基準比率Ｒ２は変更されない。他の実施形態の画像形成装置１０Ａ、１０Ｂの場合も同様である。
【０１２７】
また、第１実施形態の画像形成装置１０の制御部６０は、各１次転写ロール３４に流す電流を制御するとして説明した。しかしながら、制御部６０は、各１次転写ロール３４に各モードの条件を満たすように電流が流れれば、各１次転写ロール３４に印加する電圧で制御してもよい。
【０１２８】
また、第１実施形態の画像形成装置１０のトナー像形成部２０は、単色ユニット２１Ｇ、２１Ｙ、２１Ｍ、２１Ｃ、２１Ｋで構成されているとして説明した（図１参照）。しかしながら、少なくともＧ（金）のトナー像Ｇ１を形成する単色ユニット２１Ｇを備えており（別言すれば、１次転写ロール３４Ｇを備えており）、少なくともＧ（金）のトナー像Ｇ１及び画像を形成することができれば、この画像形成装置は、本発明の技術的範囲に属する。そして、この画像形成装置を構成する転写装置（少なくとも、１次転写ロール３４Ｇを備えている）は、本発明の技術的範囲に属する。
【０１２９】
また、第２実施形態の画像形成装置１０Ｄのトナー像形成部２０は、単色ユニット２１Ｇ、２１Ｙ、２１Ｍ、２１Ｃ、２１Ｋで構成されているとして説明した（図１５参照）。しかしながら、少なくともＧ（金）のトナー像Ｇ１を形成する単色ユニット２１Ｇを備えており（別言すれば、１次転写ロール３４Ｇを備えており）、少なくともＧ（金）のトナー像Ｇ１及び画像を形成することができれば、この画像形成装置は、本発明の技術的範囲に属する。そして、この画像形成装置を構成する転写装置（少なくとも、１次転写ロール３４Ｇを備えている）は、本発明の技術的範囲に属する。
【符号の説明】
【０１３０】
１０        画像形成装置
１０Ａ      画像形成装置
１０Ｂ      画像形成装置
１０Ｃ      画像形成装置
１０Ｄ      画像形成装置
２１        単色ユニット（形成部の一例）
２１Ｙ      単色ユニット（形成部の一例）
２１Ｍ      単色ユニット（形成部の一例）
２１Ｃ      単色ユニット（形成部の一例）
２１Ｋ      単色ユニット（形成部の一例）
３０        転写装置
３０Ａ      転写装置
３０Ｂ      転写装置
３０Ｃ      転写装置
３０Ｄ      転写装置
３４Ｇ      １次転写ロール（１次転写部の一例）
３４Ｙ      １次転写ロール（２次転写部の一例）
３４Ｍ      １次転写ロール（２次転写部の一例）
３４Ｃ      １次転写ロール（２次転写部の一例）
３４Ｋ      １次転写ロール（２次転写部の一例）
６０        制御部
７０        ２次転写部
Ｃ１        画像密度
Ｃ２        基準密度
Ｇ１        トナー像（像の一例）
Ｇ２        トナー像（像の一例）
ＭＰ        金属顔料
ＭＴ        扁平トナー
Ｎ２        ニップ部
ＮＴ        非扁平トナー
Ｒ２        基準比率（予め定められた比率）
ＴＢ        転写ベルト（移動体の一例）
【要約】
【課題】本発明は、予め定められた条件が成立する場合に１次転写部に流す電流を、前記条件が成立しない場合に１次転写部に流す電流と同等以上にする転写装置に比べて、扁平トナーの像を媒体への転写の際に扁平トナーの傾斜角度を媒体の厚み方向に対して周期的に変化させ難い転写装置の提供を目的とする。
【解決手段】転写装置は、移動する移動体と、扁平な金属顔料を含む扁平トナーで形成される像を前記移動体に転写する１次転写部と、前記移動体とニップ部を形成し、前記ニップ部に搬送される媒体に前記移動体から前記像を転写する２次転写部と、前記像の画像幅が予め定められた幅よりも大きいとされる条件が成立する場合に前記１次転写部に流す電流を、前記条件が成立しない場合に前記１次転写部に流す電流よりも小さくする制御部と、を備えている。
【選択図】図１２【図１】
0005858184.tif 000002
【図２】
0005858184.tif 000003
【図３】
0005858184.tif 000004
【図４】
0005858184.tif 000005
【図５】
0005858184.tif 000006
【図６】
0005858184.tif 000007
【図７】
0005858184.tif 000008
【図８】
0005858184.tif 000009
【図９】
0005858184.tif 000010
【図１０】
0005858184.tif 000011
【図１１】
0005858184.tif 000012
【図１２】
0005858184.tif 000013
【図１３】
0005858184.tif 000014
【図１４】
0005858184.tif 000015
【図１５】
0005858184.tif 000016
【図１６】
0005858184.tif 000017